(57)【特許請求の範囲】
【請求項１】
稲の種子を播種して水田に移植するまでに育苗した可撓性のポット苗箱を育苗場所から搬送するポット苗箱の運搬装置であって、
可撓性のポット苗箱の苗が生長した育成面の表面を内面方向に湾曲させてＵ形状として苗同士を密着させたＵ形状の一方の側面と接する水平方向の自立面及び垂直方向の苗箱両端に接するように設けられた垂直板からなるＬ字構成の運搬具を備え、
前記運搬具の垂直板には、ポット苗箱の裏面と接触してポット苗箱の開帳を防止する背面板を設けると共に、背面板の先端にはポット苗箱と運搬具との水平方向の移動を規制する垂直板と平行面となる規制板を設けてある
ことを特徴とする可撓性ポット苗箱の運搬装置。
【請求項２】
運搬具の垂直板には、規制板を有する背面板を複数設けて、複数のポット苗箱を並列に積載可能としたことを特徴とする請求項１記載の可撓性ポット苗箱の運搬装置。
【請求項３】
垂直板の上端には、苗箱運搬者が運搬具を握る取手部を設けたことを特徴とする請求項１又は２記載の可撓性ポット苗箱の運搬装置。
【発明の詳細な説明】
【技術分野】
【０００１】
本発明は、稲の種子を苗箱に播種して水田に移植するまでに育苗した可撓性のポット苗箱を育苗場所から搬送する可撓性ポット苗箱の運搬装置に関するものである。
【背景技術】
【０００２】
可撓性のポット苗箱として意匠登録第０５０７１３９号公報（特許文献１）や特開平１０−１３６７９４号公報（特許文献２）が既に知られ実用化されている。これらのポット苗箱は湾曲自在の可撓性に優れた素材が用いられ、特に長手方向を湾曲させるのに優れているものである。従来からいくつかこの可撓性のポット苗を育苗場所から植えつける圃場まで運搬するための運搬具や運搬棚が発明されている。
【０００３】
特開２００４−１９４６３０号公報（特許文献３）などは、運搬車輌に運搬棚を搭載し、一度に多くのポット苗箱を搭載して運搬しようとするものであり、また特開２００２−３１５４１０号公報（特許文献４）では、棒材を組み合わせてカゴ状に形成し、ポット苗箱を平面状に並列に複数配置できる苗箱運搬カゴであって、しかもこの運搬カゴが積み重ねられるものも既に公知である。
【０００４】
そして、特開平９−１６８３２０号公報（特許文献５）では、並列に配した二本のフレームの側面にアームを植設して、そのアームを上方に向けて掛止してそのアーム間又はアームと支柱の間にポット苗箱を湾曲させて挿入して運搬する運搬具も公知となっている。
【０００５】
【特許文献１】意匠登録第０５０７１３９号公報
【特許文献２】特開平１０−１３６７９４号公報
【特許文献３】特開２００４−１９４６３０号公報
【特許文献４】特開２００２−３１５４１０号公報
【特許文献５】特開平９−１６８３２０号公報
【発明の開示】
【発明が解決しようとする課題】
【０００６】
特許文献３におけるポット苗運搬棚においては、運搬車輌に前もって外枠、内枠等からなる運搬棚を構成するフレームと、そのフレームの内部に稲苗棚を角度をもって備えて、その稲苗棚にポット苗箱をそれぞれ搭載して運搬する構成となっている。稲苗棚の数だけポット苗箱の運搬を可能とするため数多くの苗箱の運搬を可能とするが、運搬車輌に稲苗棚を搭載するためのフレームを設置する必要があることと、稲苗棚には平面状にポット苗箱を搭載するため、運搬車輌の走行中にポット苗に走行風が当り、苗自体を傷めてしまう欠点がある。
【０００７】
特許文献４の苗箱運搬カゴにおいては、育苗地から運搬車輌までの運搬を複数枚を一度に運搬を可能とし、運搬車両にも運搬カゴに搭載した状態でしかも段積み搭載を可能とするが、安定性にかける欠点を有すると共に、運搬カゴに平面状に苗箱が差し込まれているので、運搬車輌の走行時の走行風を苗自体が受けて苗の品質の低下を招いてしまう事となる。
【０００８】
また、特許文献５に記載のポット苗箱の運搬具においては、植生されているポット苗箱を内側に湾曲させてアーム間又はアームと支柱の間に挟みこんだ状態でセットできるように構成されているので、植生されたポット苗箱を内側に湾曲させることによって運搬車輌に搭載し走行した場合の走行風の影響を受けにくくなる利点はあるが、苗箱の底面が下方向を向いて差し込まれているだけであるので、垂直方向から加わる力には弱く、苗箱が変形しないようそれぞれの苗箱同士が触れ合わない間隔を取る必要があって運搬具自体の構造が苗箱より大きくする必要性がある。このことは植生されたポット苗箱をセットした運搬具を一人で育苗地から運搬車輌までの間を運搬し、運搬車輌に搭載することは困難であって、またポット苗箱を移植地に下ろした後の空の運搬具を持ち帰る場合の荷台の専有率には変化は無く、または使用しないときの保管場所の面積を多く必要とするものであり、この運搬具に苗箱を搭載しないとき又は保管時の取扱姓が良好とは言い難いものである。
【０００９】
そこで、本発明においては、ポット苗の育苗地から１つの運搬具に複数のポット苗箱を内面に湾曲させて積載可能としてその状態で運搬車輌に搭載が出来ると共に、ポット苗箱の湾曲させた面を底面として、ポット苗箱自体が上方からの垂直方向に加わる力に対して強度をもって構成されているため、運搬車輌に複数段の運搬具の段積を可能として、育苗地から田植圃場までの一度の運搬で数多くのポット苗箱を搬送することが出来ると共に、育成した苗を内側に湾曲させて苗同士を密着させることで運搬車輌の走行時の走行風を苗自体が受けることを防止できる可撓性ポット苗箱の運搬装置を提供するものである。
【課題を解決するための手段】
【００１０】
上記目的を達成するために、本発明は請求項１ないし請求項３に係る可撓性ポット苗箱の運搬装置を提案するものである。
【００１１】
即ち、請求項１記載の可撓性ポット苗箱の運搬装置は、稲の種子を播種して水田に移植するまでに育苗した可撓性のポット苗箱を育苗場所から搬送するポット苗箱の運搬装置であって、可撓性のポット苗箱の苗が生長した育成面の表面を内面方向に湾曲させてＵ形状として苗同士を密着させたＵ形状の一方の側面と接する水平方向の自立面及び垂直方向の苗箱両端に接するように設けられた垂直板からなるＬ字構成の運搬具を備え、前記運搬具の垂直板には、ポット苗箱の裏面と接触してポット苗箱の開帳を防止する背面板を設けると共に、背面板の先端にはポット苗箱と運搬具との水平方向の移動を規制する垂直板と平行面となる規制板を設けてあることを特徴とするものである。
【００１２】
請求項２記載の可撓性ポット苗箱の運搬装置は、請求項１記載の可撓性ポット苗箱の運搬装置において、運搬具の垂直板には、規制板を有する背面板を複数設けて、複数のポット苗箱を並列に積載可能としたことを特徴とするものである。
【００１３】
請求項３記載の可撓性ポット苗箱の運搬装置は、請求項１又は２記載の可撓性ポット苗箱の運搬装置において、運搬具の垂直板には、規制板を有する背面板を複数設けて、複数のポット苗箱を並列に積載可能としたことを特徴とするものである。
【発明の効果】
【００１４】
本発明に係る可撓性ポット苗箱の積載方法及びその運搬具においては、可撓性ポット苗箱を育成面の表面を内面方向に湾曲させてＵ形状として苗同士を密着させて、湾曲面となった苗箱の一方の側面を下向きに設置し自立させた状態で運搬するので、育苗場所から植付場所までの間に運搬手段が走行することで発生する走行風を苗自体が受けることなく、稲の弱体化が防止できる効果を有するものである。
【００１５】
また、育苗地から運搬具に可撓性のポット苗箱を育成面の表面を内面方向に湾曲させてＵ形状として苗同士を密着させて、湾曲面となった苗箱の一方の側面を下向きに設置し自立させた状態で運搬具に積載を行うが、ポット苗箱自体が平板状に戻ろうとする反発力を利用して運搬具に差し込んで積載しているので、装着と脱着が容易であると共に、外力を加えなければポット苗箱が外れ落ちる可能性が少ない構成となっている。
【００１６】
尚、この運搬具には複数の可撓性ポット苗箱を取り付けることが可能であって、その状態で運搬手段若しくは運搬車輌に搭載が可能であるので、苗箱の運搬時間の短縮が可能となるばかりか、ポット苗箱を一度運搬具に搭載してしまえば、その状態を植え付ける圃場に到着してポット苗箱を運搬具から取り外すまでその運搬時の形状を変えることが無いので、ポット苗箱の苗室から苗自体が飛び出す現象が減少する効果も有する。
【００１７】
特に、運搬具に苗箱を湾曲させ搭載し、苗箱自体に垂直方向からの力に対して強度を持たせ、運搬具を苗箱の上に積み重ねて段済みを可能とした構成としているので、一度に可撓性ポット苗箱を数多く運ぶことが出来ると共に、Ｕ形状となったポット苗箱の湾曲面が上方に重なる運搬具の設置面となるため、この湾曲面は広く運搬具の底面を支えしかも凹凸が無いため安定して上方の運搬具を重ねることが可能となる効果も有している。
【００１８】
さらに、ポット苗箱を植付ける圃場で運搬具から下ろした後、または運搬具を使用しない期間においては、運搬具のそれぞれは前後方向に積み重ねて収納が出来るため、保管場所の面積を必要としない利点も備えているものである。
【発明を実施するための最良の形態】
【００１９】
図１は育苗地における可撓性ポット苗箱の育苗状態を示す斜視図、図２は可撓性ポット苗箱をＵ形状に湾曲させた状態を示す平面図、図３は可撓性ポット苗箱をＵ形状に湾曲させて運搬手段又は運搬具に積載した状態を示す斜視図、図４は本発明の実施の形態を示す可撓性ポット苗箱の運搬具の斜視図、図５は本発明の実施の形態を示す可撓性ポット苗箱の運搬具の平面図、図６は運搬具にポット苗箱を積載する状態を示した斜視図、図７はポット苗箱を運搬具に５列積載した状態を示した斜視図、図８はポット苗箱を積載した運搬具を作業者が保持した状態を示す斜視図、図９はポット苗箱を積載した運搬具を手押し式運搬車に搭載した状態を示す斜視略図、図１０はポット苗箱を積載した運搬具を段積にした状態を示す斜視略図、図１１はポット苗箱を積載した運搬具を段積にして運搬車輌に搭載した状態を示す斜視略図、図１２は育苗地から運搬車輌までのポット苗箱の移動の状態を示す略図、図１３は運搬具の収納の状態を示した斜視略図である。
【００２０】
本発明に係る可撓性ポット苗箱の積載方法及びその運搬具は、育苗地２にてポット苗３が５葉から６葉と成苗と呼ばれるまで成長し、水田に移植可能な状態のポット苗３を植生したポット苗箱１の積載方法及びその運搬具に関するものである。
【００２１】
図１のように、ポット苗箱１は複数の苗室４を有してその苗室４内にはポット苗３が生育しているものである。このポット苗箱１は縁部５の辺方向の可撓性に優れ、縁部５をＵ形状に湾曲させることは容易であって、ポット苗箱１のポット苗３が生育している育成面６を内側になるようにＵ形状に湾曲させ、ポット苗３同士を密着させるものである（図２）。
【００２２】
そして図３に示すように、Ｕ形状の湾曲面となったポット苗箱１の縁部５の一方の側面を下向きにして、搬送手段の平面若しくは運搬具の平面に密着させるように積載するものである。尚、ポット苗箱１の縁部７の両方の側面が搬送手段若しくは運搬具の平面に対して角度９０度となる垂直面に接しているとより安定して積載が可能になるほか、Ｕ形状に湾曲させたポット苗箱１を並列に複数並べるときの基準面となる。
【００２３】
Ｕ形状に湾曲させたポット苗箱１は、Ｕ形状から平板状に戻ろうとする反発力が加わるので、運搬手段及び運搬具に積載した場合にはＵ形状の直線部分の苗室４の裏面を両サイドから押さえるとポット苗箱１が開かなくて良い。
【００２４】
ポット苗箱１はポット苗３が生育する生育面６が内側に向く方向で縁部５をＵ形状の湾曲面として、ポット苗３のそれぞれが密着するように重なり合わせることによって、育苗地２から植付圃場までの輸送手段となる車輌等の荷台に搭載した場合の走行風をポット苗３が直接受けることがなくなるので、稲の葉同士が常に擦れ合うことで発生する稲の弱体化を防止できるものである。また、縁部５のＵ形状の湾曲面となった一方の側面を底面として、搬送手段又は運搬具の平面に自立させているため、ポット苗箱１自体が垂直方向から加わる荷重を受けても変形せず、ポット苗箱１を段積しても、下方のポット苗箱１自体が上方のポット苗３を備えるポット苗箱１の重量を支えることができると共に、苗箱のＵ形状となった段差の無い広い平面で、上方のポット苗箱１を受けることが出来るため、安定して複数の段積を行うことが可能となる利点も有している。
【００２５】
図４の８は可撓性のポット苗箱の運搬具である。この運搬具８は水平方向の自立面９と自立面９と約９０度の角度をもった垂直板１０からなるＬ字構成であることを特徴としている。垂直板１０には、自立面９方向に向かって複数の背面板１１が略等間隔で縦方向に備えている。この背面板１１は上端が垂直板１０と同等の高さで、下端は自立面９と接触する長さでしかも自立面９と接合されているとよい。また、背面板１１の先端には垂直板１０と平行面となるように規制板１２が取り付けられている。この規制板１２も縦方向に向かって細長に取り付けられており、その上端は垂直板１０と同等の高さで、下端は自立面９と接しない距離をもって備えられている。
【００２６】
さらに、垂直板１０の上端には自立面９と対向する方向に取手部１３が垂直板１０の略全長に渡り設けられている。この取手部１３は角パイプやＣ形鋼と呼ばれる鋼材であるとよく、この取手部１３の両端には上方から棒状の固定材が差し込める大きさの貫通穴１４が取手部１３を貫いて設けられている。
【００２７】
垂直板１０には、背面板１１同士間の中央を基準として横方向に背面板１１に至らない範囲に、そして縦方向では取手部１３の略下面から自立面９に至らない範囲で開口している開口面１５を備える。この開口面１５には、運搬具８を使用する運搬者がこの開口部１５に手又は指を通し、取手部１３を握り締めて安定して運搬具８を保持する目的と、運搬具８自体の重量を軽量化する目的で備えられているものである。
【００２８】
さらに、自立面９の平面方向の端部の範囲は、図６のようにポット苗箱１を湾曲させて運搬具に積載させた場合にＵ形状の湾曲面の縁部５を覆う範囲であるとよい。また、ポット苗箱１の湾曲面の略中心に位置するように開口面１６を設けてもよく、この開口面１６によって運搬具８の重量をより軽くすることが可能である。
【００２９】
図６のように、ポット苗箱１の育苗面６が内側を向くように縁部５をＵ形状に湾曲させ、その湾曲面の一方の側面を下側に向け、ポット苗箱１の両側の縁部７の端側から２列目の苗室４の底面が背面板１１に接触するように、また両側の縁部７の端側から２列目と３列目の苗室４に挟まれた空間に規制板１２が差し込まれるように、運搬具８の上方からポット苗箱１を垂直に差し込むか、縁部５のＵ形状の湾曲を一時的に多く曲げて自立面９の端部から水平に入れ込んで作業者が手を放すことでＵ形状と成って、背面板１１には苗室４の底面が密着し、そして規制板１２が苗室４に挟まれた空間に入り込んでポット苗箱１の前後左右の移動を固定するものである。
【００３０】
本発明の実施例として図４、６のように、湾曲させた５枚のポット苗箱１を並列に５列積載できるようになっている。通常ポット苗箱を運搬する車輌として軽トラック、小型トラックが多く使用されているため、それらのトラックの荷台幅と、苗箱の寸法を検討すると５列の運搬具が良好である。また、背面板１１と規制板１２の取り付けにおいて、運搬具８の両端の規制板１２は背面板１１との形状がＬ形状であるが、その他の背面板１１と規制板１２との取り付け形状はＴ形状となっている。運搬具８の両端の背面板１１と規制板１２の取り付け形状はＴ形状であってもよいが、運搬具８のその全長を短く、しかも安全性を考慮してＬ形状としたものである。
【００３１】
図７は、運搬具８にポット苗箱１を５列全て積載した状態を表す図であって、作業者２１は図８のように開口面１５に指又は手を通し、取手部１３を握り運搬具８を持ち上げ移動させるものである。
【００３２】
図９は、育苗地２から運搬車輌（トラック等）まで、若しくは育苗地２から近い水田までポット苗箱を運搬する様子を示したものである。育苗地２で作業者２１がポット苗箱１を運搬具８に積載し、それを手押し式運搬車１７に複数個搭載して運搬具８を移動している。手押し式運搬車１７として、通常は車輪１８が一輪若しくは二輪の手押し式運搬車１７が代表されるが、これらの手押し式運搬車１７にはポット苗箱１を積載した状態で運搬具８を３個から４個搭載することが出来るため、手押し式運搬車であっても一度に１５枚から２０枚ほどのポット苗箱１を運搬することが可能である。
【００３３】
図１０は、ポット苗箱１を積載した運搬具８を上下方向に段積にした状態を示している。運搬具８の垂直板１０と取手部１３のその高さは、ポット苗箱１を湾曲させて運搬具８に積載させた場合の縁部７と同じ高さ又はそれより低くなるように構成されている。
【００３４】
運搬具８を複数段積み重ねた状態で棒状の固定材１９を、取手部１３に設けられているそれぞれの貫通穴１４に通すことによって積み重ねられた上方の運搬具８の前後左右の移動を固定し、安定して数段積み重ねることができる。さらに縁部７の辺長より垂直板１０の高さが短く構成されているので、運搬具８の自立面９の底がポット苗箱１の縁部５の湾曲面と密着して、上段のポット苗箱と運搬具の垂直に加わる重量を苗箱自体で受け止めると共に、Ｕ形状面の広い面積で上方の自立面９の底を受け止めるため安定感が増しているものである。
【００３５】
図１１は、運搬車輌２０に運搬具８を複数列、複数段搭載した状態を例示したものである。そして運搬具８を３段に積み重ねて棒状の固定材１９を上方からそれぞれの運搬具８の貫通穴１４に差込み、積み重ねた上方の運搬具８の前後左右の移動を固定している。
【００３６】
運搬車輌２０として軽トラックの荷台にこの運搬具８を積み重ねた場合、運搬具８を６列に並べ、そして３段積にすることによって、ポット苗箱１を一度に運搬車輌２０に搭載できる個数は９０枚となり、ポット苗箱を効率よく運搬することが可能である。
【００３７】
図１２は、育苗地２から運搬車輌２０までポット苗箱１を運搬する形態を示したものであって、作業者２１は育苗地２内若しくはその付近に空の運搬具８を置き、育苗地２から取り上げたポット苗箱１を運搬具８に積載する。育苗地２が広く運搬具８を直接運搬車輌２０に搭載するのに距離がある場合などは、手押し式運搬車１７（一輪車）に一時的にポット苗箱１を積載した運搬具８を複数搭載して運搬車輌２０まで搬送することで、作業者２１は手間をかけずに運搬具８を効率的に運搬車輌２０に搭載することが出来る。
【００３８】
図１３に示す運搬具８は、田植を行う圃場で運搬具８からポット苗箱１を下ろして運搬具８だけを運搬車輌２０に搭載した場合と、運搬具８を使用しない場合の収納状態を表したものである。運搬具８の自立面９の表面に重ね合わせる運搬具８の自立面９の裏面が、そして規制板１２には重ね合わせる運搬具８の取手部１３が密着するように重ね合わせることによって、運搬具８を数多く保管収納しなくてはならない場合であっても、取手部１３と背面板１１と規制板１２の厚みで重ね合わせることが可能であるので、収納する面積も少なくなり、取扱性にも優れるものである。
【図面の簡単な説明】
【００３９】
【図１】育苗地における可撓性ポット苗箱の育苗状態を示す斜視図である。
【図２】可撓性ポット苗箱をＵ形状に湾曲させた状態を示す平面図である。
【図３】可撓性ポット苗箱をＵ形状に湾曲させて運搬手段又は運搬具に積載した状態を示す斜視図である。
【図４】本発明の実施の形態を示す可撓性ポット苗箱の運搬具の斜視図である。
【図５】本発明の実施の形態を示す可撓性ポット苗箱の運搬具の平面図である。
【図６】運搬具にポット苗箱を積載する状態を示した斜視図である。
【図７】ポット苗箱を運搬具に５列積載した状態を示した斜視図である。
【図８】ポット苗箱を積載した運搬具を作業者が保持した状態を示す斜視図である。
【図９】ポット苗箱を積載した運搬具を手押し式運搬車に搭載した状態をしめす斜視略図である。
【図１０】ポット苗箱を積載した運搬具を段積にした状態を示す斜視略図である。
【図１１】ポット苗箱を積載した運搬具を段積にして、運搬車輌に搭載した状態を示す斜視略図である。
【図１２】育苗地から運搬車輌までのポット苗箱の移動の状態を示す略図である。
【図１３】運搬具の収納の状態を示した斜視略図である。
【符号の説明】
【００４０】
１  ポット苗箱
２  育苗地
３  ポット苗
４  苗室
５  縁部
６  育成面
７  縁部
８  運搬具
９  自立面
１０  垂直板
１１  背面板
１２  規制板
１３  取手部
１４  貫通穴
１５  開口面
１６  開口面
１７  手押し式運搬車
１８  車輪
１９  固定材
２０  運搬車輌
２１  作業者
【図１】
0004666362.tif 000002
【図２】
0004666362.tif 000003
【図３】
0004666362.tif 000004
【図４】
0004666362.tif 000005
【図５】
0004666362.tif 000006
【図６】
0004666362.tif 000007
【図７】
0004666362.tif 000008
【図８】
0004666362.tif 000009
【図９】
0004666362.tif 000010
【図１０】
0004666362.tif 000011
【図１１】
0004666362.tif 000012
【図１２】
0004666362.tif 000013
【図１３】
0004666362.tif 000014